(57)【要約】      （修正有）【課題】構造が簡単で容易かつ安価に製造することができるバンド緊締具を提供する。【解決手段】緊締バンドを巻回可能な巻取軸３と、この巻取軸３を回転自在に支持する支持杆４とを備え、巻取軸３と支持杆４との間に巻取軸３の戻り回転を阻止するラチェット機構５が設けられ、巻取軸３に、緊締バンドを挿通する貫通溝２４が形成されたバンド巻取部２１が設けられ、支持杆４の先端側に、巻取軸３が緊締方向とは反対側に移動するのを防止するべく被緊締物側に係合する杆係合部１９が設けられている。【選択図】図１
0003180577.tif 000002
【実用新案登録請求の範囲】
【請求項１】
緊締バンド（９）を巻回可能な巻取軸（３）と、この巻取軸（３）を回転自在に支持する支持杆（４）とを備え、巻取軸（３）と支持杆（４）との間に巻取軸（３）の戻り回転を阻止するラチェット機構（５）が設けられ、巻取軸（３）に、緊締バンド（９）を挿通する貫通溝（２４）が形成されたバンド巻取部（２１）が設けられ、支持杆（４）の先端側に、巻取軸（３）が緊締方向とは反対側に移動するのを防止するべく被緊締物（８）側に係合する杆係合部（１９）が設けられていることを特徴とするバンド緊締具。
【請求項２】
支持杆（４）の基部に筒状の支持部（１８）が形成され、この支持部（１８）に巻取軸（３）が貫通状に挿通支持されており、支持部（１８）を挟んだ巻取軸（３）の一端側と他端側とに、前記バンド巻取部（２１）と巻取軸（３）を回転操作する工具を係脱自在に係合する工具係合部（２２）とが振り分けて設けられていることを特徴とする請求項１に記載のバンド緊締具。
【請求項３】
前記杆係合部（１９）は、支持杆（４）の先端側をその基部側及び巻取軸（３）に直交する方向よりもバンド巻取部（２１）側に傾斜した方向に鈎形に屈曲することにより形成されていることを特徴とする請求項１又は２に記載のバンド緊締具。
【考案の詳細な説明】
【技術分野】
【０００１】
本考案は、例えば被緊締物に掛け回した緊締バンドを緊締するバンド緊締具に関するものである。
【背景技術】
【０００２】
従来のバンド緊締具には、緊締バンドを巻回可能な巻取軸と、この巻取軸の一端側を片持ち状に回転自在に支持する支持フレームと、この支持フレームに対して揺動自在に設けられた操作ハンドルと、巻取軸と操作ハンドルとの間に設けられて巻取軸の戻り回転を阻止するラチェット機構と、支持フレームに設けられたバンド圧接機構とを備え、被緊締物に掛け回して両端側をバンド止め具に巻き付けて一端側を引き出した緊締バンドの引き出し端部を巻き取るために、バンド圧接機構によって、緊締バンドの引き出し端部側における被緊締物への掛け回し側を、緊締方向の移動のみを許容するように圧接した状態で、巻取軸の貫通溝に緊締バンドの引き出し端部側を挿通し、この状態で、操作ハンドルを往復揺動させることにより、ラチェット機構を介して巻取軸を一方向（巻取方向）のみに回転させて、緊締バンドの引き出し端部側を巻取軸で巻き取り、これによって、被緊締物に掛け回されている緊締バンドを緊締するようにしたものがある（例えば特許文献１）。この場合、緊締バンドを巻取軸で巻き取る際に、バンド圧接機構によって支持フレーム乃至巻取軸が緊締方向とは反対側に移動するのが防止され、緊締バンドを巻取軸でスムーズに巻き取ることができるようになっている。
【先行技術文献】
【特許文献】
【０００３】
【特許文献１】特開２００３−３４１７１１号公報
【考案の概要】
【考案が解決しようとする課題】
【０００４】
しかし、従来のバンド緊締具の場合、巻取軸を片持ち状に回転自在に支持する支持フレームの他に、緊締バンドの被緊締物への掛け回し側を、緊締方向の移動のみを許容するように圧接するバンド圧接機構が必要であり、このためバンド緊締具はその構造が複雑で大型になり、製造が面倒でかつ製造費用が高く付くという問題があった。
本考案は上記問題点に鑑み、構造が簡単で容易かつ安価に製造することができるバンド緊締具を提供することを目的としている。
【課題を解決するための手段】
【０００５】
本考案における課題解決のための具体的手段は、次の通りである。
この技術的課題を解決する本考案の技術的手段は、緊締バンド９を巻回可能な巻取軸３と、この巻取軸３を回転自在に支持する支持杆４とを備え、巻取軸３と支持杆４との間に巻取軸３の戻り回転を阻止するラチェット機構５が設けられ、巻取軸３に、緊締バンド９を挿通する貫通溝２４が形成されたバンド巻取部２１が設けられ、支持杆４の先端側に、巻取軸３が緊締方向とは反対側に移動するのを防止するべく被緊締物８側に係合する杆係合部１９が設けられている点にある。
【０００６】
また、本考案の他の技術的手段は、支持杆４の基部に筒状の支持部１８が形成され、この支持部１８に巻取軸３が貫通状に挿通支持されており、支持部１８を挟んだ巻取軸３の一端側と他端側とに、前記バンド巻取部２１と巻取軸３を回転操作する工具を係脱自在に係合する工具係合部２２とが振り分けて設けられている点にある。
また、本考案の他の技術的手段は、前記杆係合部１９は、支持杆４の先端側をその基部側及び巻取軸３に直交する方向よりもバンド巻取部２１側に傾斜した方向に鈎形に屈曲することにより形成されている点にある。
【考案の効果】
【０００７】
本考案によれば、例えば、被緊締物に掛け回すと共に両端側をバンド止め具に巻き付けてその一方側を引き出した緊締バンドの引き出し端部側を、バンド巻取部の貫通溝に挿通係合させると共に、支持杆の杆係合部を被緊締物に係合し、この状態で、ラチェットレン
チ等の工具を使用して巻取軸を一方向に回転させることにより、ラチェット機構を介して巻取軸を一方向（巻取方向）のみに回転させることができ、このとき、杆係合部が被緊締物に係合されているため、巻取軸への緊締バンドの巻回によって巻取軸が緊締方向とは反対側に移動するのが防止され、緊締バンドの引き出し端部側を巻取軸で巻き取ることによって、被緊締物に掛け回されている緊締バンドを緊締することができ、被緊締物に掛け回されている緊締バンドを確実かつスムーズに緊締することができる。
【０００８】
従って、支持杆の杆係合部によって、巻取軸への緊締バンドの巻回によって巻取軸が緊締方向とは反対側に移動するのを防止できるため、巻取軸を片持ち状に回転自在に支持する支持フレームの他に、従来のようなバンド圧接機構が不要になり、このためバンド緊締具はその構造が非常に簡単になって、バンド緊締具を容易かつ安価に製造することができる。
【図面の簡単な説明】
【０００９】
【図１】本考案の一実施形態を示すバンド緊締具の正面図である。
【図２】同バンド緊締具の左側面図である。
【図３】同バンド緊締具の底面図である。
【図４】同バンド緊締具の右側面図である。
【図５】同緊締バンドを緊締する状態を示す斜視図である。
【図６】同緊締バンドを緊締する状態を示す正面断面図である。
【図７】同ラチェットレンチの正面図である。
【図８】同バンド止め具の展開図である。
【考案を実施するための形態】
【００１０】
以下、本考案の実施の形態を図面に基づいて説明する。
図１〜図８は本考案の一実施形態を示している。図１〜図４において、バンド緊締具１は、鉄、アルミ合金等の金属又は合成樹脂等により構成され、緊締バンドを巻回可能な巻取軸３と、この巻取軸３を回転自在に支持する支持杆４とを備え、巻取軸３と支持杆４との間に巻取軸３の戻り回転を阻止するラチェット機構５が設けられている。
【００１１】
前記バンド緊締具１は、例えば、図５及び図６に示すように、被緊締物８に掛け回した緊締バンド９の両端側をバンド止め具１０に巻き付けてその一方側を引き出した緊締バンド９の引き出し端部９ａを、巻き取って緊締バンド９を被緊締物８に緊締するために使用されるものである。ここで、緊締バンド９は、ポリエステル、ポリプロピレン、ナイロン等により長い帯状に形成されている。
【００１２】
ラチェット機構５は、例えば、図４に示すように、巻取軸３に外嵌固定した爪車１３と、支持杆４に支軸１４廻りに揺動自在に支持したラチェット爪１５と、ラチェット爪１５を爪車１３に向けて付勢するバネ１６とを備え、ラチェット爪１５が爪車１３に係合することにより、巻取軸３を支持杆４に対してバンド巻き取り方向（ａ方向）にのみ回転可能にし、巻取軸３の戻り方向（矢印ｂ方向）の回転を阻止するようになっている。
【００１３】
支持杆４の基部に円筒状の支持部１８が形成されている。支持杆４の先端側に、巻取軸３への緊締バンド９の巻回によって巻取軸３が緊締方向とは反対側に移動するのを防止するべく被緊締物８に係合する杆係合部１９が設けられている。
前記杆係合部１９は、支持杆４の先端側をその基部側及び巻取軸３に直交する方向（図３に示すｄ方向）よりも後述するバンド巻取部２１側に４５度程度傾斜した方向に鈎形に屈曲することにより形成されている。
【００１４】
支持杆４の支持部１８に巻取軸３が貫通状に挿通支持されている。支持部１８を挟んだ巻取軸３の一端側と他端側とに、バンド巻取部２１と工具係合部２２とが振り分けて設けられている。
バンド巻取部２１は円筒状に形成され、その先端から基部に亘って径方向に貫通した貫通溝２４が形成されており、緊締バンド９の一端側を貫通溝２４に挿通してバンド巻取部２１に巻回できるようになっている。
【００１５】
工具係合部２２は、巻取軸３を回転操作する工具を係脱自在に係合するものであって、六角形の柱状に形成されており、ここに、図７に示すようなラチェットレンチ２６を係合
してこのラチェットレンチ２６で巻取軸３を回転操作できるようになっている。
巻取軸３のバンド巻取部２１と工具係合部２２との間に小径の取付部２８が形成され、この取付部２８が支持部１８に軸芯廻りに回転自在に挿通保持されている。
【００１６】
図７に示すように、ラチェットレンチ２６は、ハンドル体３０とハンドル体３０の両端部に設けたレンチ部３１とを有し、レンチ部３１にはラチェットホイール３３と支軸３４廻り揺動自在に支持された揺動体３５と揺動体３５を付勢するバネ３６とを有するラチェット機構３８が設けられている。
揺動体３５に一対の係合爪３９が設けられ、ラチェットホイール３３の外周にラチェット歯４０が形成されており、揺動体３５の一方の係合爪３９がラチェットホイール３３のラチェット歯４０に係合することにより、ラチェットホイール３３を一方向にのみ回転可能にし、ラチェットホイール３３の戻り方向の回転を阻止する。そして、揺動体３５を揺動操作することによって他方の係合爪３９がラチェット歯４０に係合してラチェット機構３８の作用方向を切り替えることができるように構成されている。
【００１７】
被緊締物８に緊締バンド９を緊締するために使用される前記バンド止め具１０は、図８に示すように、ポリプロピレン等の合成樹脂により形成され、矩形状の止め枠体４３を備え、止め枠体４３の一端部に、弾性を有する一対ずつの連結片４４を介して一対の係止体４５が突設されており、各連結片４４を弾性変形により屈曲させて一対の係止体４５を止め枠体４３に重合配置できるように構成されている。
【００１８】
図５及び図６に示すように、被緊締物８に掛け回した緊締バンド９の両端側を、止め枠体４３内に下側から通して各係止体４５に巻き掛け、その折り返し部をそれぞれ止め枠体４３と各係止体４５との間で挟持することにより、被緊締物８に掛け回した緊締バンド９の両端側をバンド止め具１０に巻き付けて連結固定するようにしている。
そして、バンド止め具１０に巻き付けた緊締バンド９の両端側のうちの一方側を引き出した緊締バンド９の引き出し端部９ａを、バンド緊締具１のバンド巻取部２１に巻回して巻き取ることにより、被緊締物８を緊締バンド９で締め付けるようにしている。
【００１９】
上記実施形態によれば、被緊締物８を緊締バンド９で緊締する場合、緊締バンド９を被緊締物８に掛け回した後、緊締バンド９の両端側をバンド止め具１０の止め枠体４３内に下側から通して各係止体４５に巻き掛け、このようにしてバンド止め具１０に巻き付けた緊締バンド９の両端側のうちの一方側を引き出し、この緊締バンド９の引き出し端部９ａを、巻取軸３のバンド巻取部２１の貫通溝２４に挿入して、図５及び図６に示すように、バンド巻取部２１が被緊締物８に掛け回した緊締バンド９と交差するようにバンド緊締具１を被緊締物８上に配置し、支持杆４の杆係合部１９を被緊締物８の一端部に係合する。
【００２０】
この状態で、巻取軸３の工具係合部２２にラチェットレンチ２６の一端部（レンチ部３１）を係合して、ラチェットレンチ２６を矢印ｃ方向に揺動操作して、巻取軸３を矢印ａ方向に回転すればよい。
これにより、ラチェット機構５を介して巻取軸３を一方向（巻取方向、矢印ａ方向）のみに回転させることができ、このとき、杆係合部１９が被緊締物８に係合されているため、巻取軸３への緊締バンド９の巻回によって巻取軸３が緊締方向とは反対側に移動するのが防止され、緊締バンド９の引き出し端部９ａ側を巻取軸３で巻き取ることによって、被緊締物８に掛け回されている緊締バンド９を確実かつスムーズに緊締することができる。
【００２１】
従って、支持杆４の杆係合部１９によって、巻取軸３への緊締バンド９の巻回によって巻取軸３が緊締方向とは反対側に移動するのを防止できるため、巻取軸３を片持ち状に回転自在に支持する支持フレームの他に、緊締バンド９の被緊締物８への掛け回し側を緊締方向の移動のみを許容するように圧接する従来のようなバンド圧接機構が不要になり、このためバンド緊締具１はその構造が非常に簡単になって、バンド緊締具１を容易かつ安価に製造することができるようになる。
【００２２】
また、前記実施形態では、支持部１８を挟んだ巻取軸３の一端側と他端側とに、バンド巻取部２１と工具係合部２２とが振り分けて形成されているので、バンド巻取部２１に緊締バンド９を巻き取る際に、工具係合部２２に係合したレンチ等の工具がバンド巻取部２１への緊締バンド９の巻き取りの邪魔になったり、レンチ等の工具の揺動操作にバンド巻
取部２１に巻き取られる緊締バンド９が邪魔になったりするのを防止でき、緊締バンド９を巻取軸３によってスムーズに巻き取ることができる。
【００２３】
また、杆係合部１９は、支持杆４の先端側をその基部側及び巻取軸３に直交する方向よりもバンド巻取部２１側に傾斜した方向に鈎形に屈曲することにより形成されているので、支持杆４の杆係合部１９を被緊締物８に係合した際に、図３に２点鎖線で示すように、杆係合部１９の被緊締物８への係合位置をバンド巻取部２１に対応させることができ、巻取軸３に緊締バンド９を巻き取る際に、バンド巻取部２１が緊締バンド９によって緊締方向とは反対側に引っ張られる力によって、バンド緊締具１乃至支持杆４が傾斜移動して杆係合部１９の被緊締物８への係合が外れるのを効果的に防いで、バンド巻取部２１に緊締バンド９をスムーズに巻き取ることができる。
【００２４】
なお、前記実施形態では、支持部１８を挟んだ巻取軸３の一端側にバンド巻取部２１を形成すると共に、他端側に工具係合部２２を形成しているが、これに代え、巻取軸３のバンド巻取部２１と同じ側に工具係合部２２を形成するようにしてもよいし、また、工具係合部２２を省略し、巻取軸３の基端側や先端側等をプライヤー、ペンチ等の工具で挟んで回動操作するようにしてもよい。また、巻取軸３にこれを一方向に回転操作するためのラチェット機構を有する操作ハンドルを突設し、レンチ等の工具を使用しないで、操作ハンドルで巻取軸３を回転操作するようにしてもよい。
【００２５】
また、前記実施形態では、杆係合部１９は、支持杆４の先端側をその基部側及び巻取軸３に直交する方向よりもバンド巻取部２１側に傾斜した方向に鈎形に屈曲することにより形成されているが、これに代え、支持杆４の先端側に杆係合部１９を溶接やボルトナットの締結により取り付けるようにしてもよい。
【符号の説明】
【００２６】
１      バンド緊締具
３      巻取軸
４      支持杆
５      ラチェット機構
８      被緊締物
９      緊締バンド
１８    支持部
１９    杆係合部
２１    バンド巻取部
２２    工具係合部
２４    貫通溝
【図１】
0003180577.tif 000003
【図２】
0003180577.tif 000004
【図３】
0003180577.tif 000005
【図４】
0003180577.tif 000006
【図５】
0003180577.tif 000007
【図６】
0003180577.tif 000008
【図７】
0003180577.tif 000009
【図８】
0003180577.tif 000010